(57)【要約】【課題】  本発明では、当初の作製が容易であることに加え、患者状況の経時的変化にも対応が容易であって、患者の脚長差を矯正する踵部中敷を提供することを目的とする。【解決手段】  開示の踵部中敷は、左右どちらか一方の履物の踵部分に設置する踵部中敷であって、前記履物の踵部分の形状に合わせて形成され、前後長が異なるシート状の複数の中敷体を有し、前記各中敷体が、底面から上面に向けて、前記前後長が長いものから短いものの順であって、前記履物の踵部分の形状の最後部を揃えるように重ねて配置されることによって、前記履物の爪先方向が低くなるように傾斜しており、前記履物を履く人の脚長差に応じ、前記各中敷体の枚数及び前記各中敷体の厚さを変化させることによって、該各中敷体を重ねた厚さが調整されることを特徴とする。【選択図】図１
2013063196.tif 000002
【特許請求の範囲】
【請求項１】
左右どちらか一方の履物の踵部分に設置する踵部中敷であって、
前記履物の踵部分の形状に合わせて形成され、前後長が異なるシート状の複数の中敷体を有し、
前記各中敷体が、底面から上面に向けて、前記前後長が長いものから短いものの順であって、前記履物の踵部分の形状の最後部を揃えるように重ねて配置されることによって、前記履物の爪先方向が低くなるように傾斜しており、
前記履物を履く人の脚長差に応じ、前記各中敷体の枚数及び前記各中敷体の厚さを変化させることによって、該各中敷体を重ねた厚さが調整されることを特徴とする踵部中敷。
【請求項２】
前記各中敷体が透明であることを特徴とする請求項１に記載の踵部中敷。
【請求項３】
前記各中敷体を重ねた厚さが、５ミリメートル以下であることを特徴とする請求項１又は２に記載の踵部中敷。
【請求項４】
請求項１乃至３の何れか一に記載の踵部中敷を、左右どちらか一方の踵部分に設置した履物。
【請求項５】
請求項１乃至４の何れか一に記載の踵部中敷の高さを調整する方法であって、
所定の期間毎に所定の計測方法により前記履物を履く人の脚長差を計測し、該脚長差に応じて、前記各中敷体の枚数及び該各中敷体の厚さを調整することを特徴とする方法。
【発明の詳細な説明】
【技術分野】
【０００１】
本発明は、靴など履物の中敷（インソール）の技術に関する。
【背景技術】
【０００２】
靴の中に敷く中敷に関しては種々の提案がなされている。例えば、特許文献１では、靴の踵部分にしてかつ靴底Ａと敷革Ｂとの間に装填するための踵部中敷体１の上面に、人体踵部分をやや後上がり状に持ち上げるような形態にして、かつ人体踵部分の自然の局面を保持可能とする曲面形状を具えた凹窪部２を形成したことを特徴とする靴の踵部中敷が提案されている。
【０００３】
また、特許文献２では、胛被（６）と靴底（７）とから成る靴（８）の中に敷く中敷であって、土踏まず部分（１ａ）から踵部分（１ｂ）の後端に向かって厚みを次第に増加させて形成し、かつその下面に係合構造を有する主中敷（１）と、該主中敷（１）の踵部分（ｂ）に重ねることができ、該主中敷（１）の係合構造に係合する係合構造を上面に有
すると共に、所定の厚さに形成した副中敷（２）と、を備えた、ことを特徴とする身長を高く見せる靴の中敷が提案されている。
【０００４】
特許文献１で提案されている技術の効果は定かではないが、特許文献２で提案されている技術の効果は、必要に応じて中敷の厚さを調節することができると共に、１足の靴で数段階の高さに身長を高く見せることができるというものである。
【０００５】
一方、上記の技術が奏する効果とは観点を異にする靴の中敷に関する技術として、足底板療法において使用される足底板（靴の中敷）がある。足底板療法とは、患者各人の足の形に応じた足底板を作製し、それを靴の中に入れて使用させることで、当該患者の健康を増進させることを試みるものである。足底板療法で使用される足底板は、患者の足の裏の形状に合わせるために、研磨装置で足底板の原型を削って作製される。
【先行技術文献】
【特許文献】
【０００６】
【特許文献１】実開平０４−４５４０４号公報
【特許文献２】特開２００３−１６４３０３号公報
【発明の概要】
【発明が解決しようとする課題】
【０００７】
しかしながら、上記足底板療法で使用される足底板は、両足及び足の裏全体の形状に合ったものを作製する必要があるため、作製の手間が掛かるという問題点があった。
【０００８】
また、上記足底板療法で使用される足底板は、研磨装置で足底板の原型を削って作製するため、患者の足の裏の形状の経時的変化に伴い足底板を再作製する場合、一から再作製の作業を行う必要があり、再作製の手間が掛かるという問題点があった。
【０００９】
さらに、上記足底板療法で使用される足底板は、両足及び足の裏全体の形状に合ったものを作製するため、患者の脚長差を矯正する観点で作製されていないという問題点があった。つまり、上記足底板療法で使用される足底板では、患者の脚長差に基づく体の不具合を改善させることができない。
【００１０】
そこで本発明では、上記問題点に鑑み、当初の作製が容易であることに加え、患者状況の経時的変化にも対応が容易であって、患者の脚長差を矯正する踵部中敷、当該踵部中敷を備える履物及び当該踵部中敷の高さの調整方法を提供することを目的とする。
【課題を解決するための手段】
【００１１】
開示する踵部中敷の一形態は、左右どちらか一方の履物の踵部分に設置する踵部中敷であって、前記履物の踵部分の形状に合わせて形成され、前後長が異なる複数のシート状の中敷体を有し、前記各中敷体が、底面から上面に向けて、前記前後長が長いものから短いものの順であって、前記履物の踵部分の形状の最後部を揃えるように重ねて配置されることによって、前記履物の爪先方向が低くなるように傾斜しており、前記履物を履く人の脚長差に応じ、前記各中敷体の枚数及び前記各中敷体の厚さを変化させることによって、該各中敷体を重ねた厚さが調整されることを特徴とする。ただし、踵部中敷の厚さが０．５ミリメートル以下になると、各中敷体が柔らかくなり不安定になる。その場合、左右両方の履物の踵部分に厚さ０．５ミリメートルの中敷体をベース部として設置し、左右どちらか一方のベース部の上に厚さ０．２ミリメートルや０．１ミリメートルの中敷体を設置して、０．５ミリメートル以下の厚さ調整を行う形態としても良い。
また、開示する踵部中敷の一形態は、前記各中敷体が透明であっても良い。
また、開示する踵部中敷の一形態は、前記各中敷体を重ねた厚さが、５ミリメートル以下であっても良い。
一方、開示する履物の一形態は、左右どちらか一方の踵部分に上記踵部中敷を備えている。
【００１２】
他方、開示する踵部中敷の高さを調整する方法の一形態は、上記踵部中敷の高さを調整する方法であって、所定の期間毎に所定の計測方法により前記履物を履く人の脚長差を計測し、該脚長差に応じて、前記各中敷体の枚数及び該各中敷体の厚さを調整することを特徴とする。
【発明の効果】
【００１３】
開示する踵部中敷は、当初の作製が容易であることに加え、患者状況の経時的変化にも対応が容易であって、患者の脚長差を解消させることができる。また、開示する踵部中敷は、患者の脚長差が解消するため、当該脚長差に基づく体の不具合を改善させることができる。
【図面の簡単な説明】
【００１４】
【図１】本実施の形態に係る踵部中敷を備える履物の一例を示す図である。
【図２】本実施の形態に係る中敷体の一例を示す図である。
【図３】本実施の形態に係る踵部中敷の平面図及び正面図の一例を示す図である。
【図４】本実施の形態に係る踵部中敷の平面図及び正面図の一例を示す図である。
【発明を実施するための形態】
【００１５】
図面を参照しながら、本発明を実施するための形態について説明する。
（踵部中敷の構造）
【００１６】
図１乃至４を用いて、本実施の形態に係る踵部中敷１００の構造について説明する。図１は、踵部中敷１００を備える履物（以下、「靴」という。）１２０の一例を示す図であり、図２は、中敷体１１０の一例を示す図である。また、図３及び図４は、踵部中敷１００の平面図及び正面図の一例を示す図である。なお、踵部中敷１００は、靴１２０を履く人（患者）の左右の足の脚長差が無くなるように調整する機能を有するため、左右どちらか一方の靴の中に敷く態様である。つまり、踵部中敷１００は、左右の足のうち、脚長差がマイナスと評価（計測）される足に対応する一方の靴１２０の踵部分に設置する。こうすることによって、左右の足の脚長差をゼロに矯正し、靴１２０を履く人の脚長差に基づく体の不具合（健康状態）を改善させる。ここで、脚長差に基づく体の不具合とは、腰痛、肩凝りなどの症状であり、脚長差とは、左右の脚の長さの差である。
【００１７】
図１で示すように、靴の踵部中敷１００は、靴１２０の踵部分に、中敷（インソール）として設置し使用する。また、図１及び図３で示すように、靴の踵部中敷１００は、複数の中敷体１１０の後方を揃えて重ねて形成される。こうすることによって、靴の踵部中敷１００は、靴１３０の爪先方向が下がるように傾斜が付いている。
【００１８】
図２で示すように、各中敷体１１０（中敷体（ａ）１１２、中敷体（ｂ）１１４、中敷体（ｃ）１１６）は、靴１２０の踵部分の形状に合わせて形成され、また、フィルム状（シート状）に薄く形成されている。例えば、各中敷体１１０の厚さは、０．５ミリメートル以下であることが好適である。
【００１９】
そして、中敷体（ａ）１１２、中敷体（ｂ）１１４、中敷体（ｃ）１１６それぞれは、その前後長が異なっている。このように、前後長が異なる中敷体１１０について、靴１２０に接する底面から上面に向けて、前後長が長いものから短いものの順に後方を揃えて重ねるので、靴の踵部中敷１００は、爪先下がりの傾斜が付いている。
【００２０】
また、図２及び図３では便宜的に、中敷体（ａ）１１２、中敷体（ｂ）１１４、中敷体（ｃ）１１６が、同一の厚さであるように図示されているが、それぞれは相異なる厚さであっても良い。例えば、中敷体１１０は、厚さが０．５ミリメートル、０．２ミリメートル、０．１ミリメートルのものを備え、これらを適宜組み合わせることで、踵部中敷１００の高さを自在に調節することが可能である。つまり、踵部中敷１００は、０．１ミリメートル単位で、その高さを調整することが可能である。
【００２１】
なお、踵部中敷１００は、主に、２センチメートル以下の脚長差を矯正することを目的としており、踵部中敷１００の厚さは、通常、５ミリメートル以下となるように作製される。
【００２２】
また、靴の踵部中敷１００の材質は、透明な塩化ビニル樹脂（例えば、軟質塩ビシート）を用いることが好適である。透明にすることで、靴の踵部中敷１００は、サンダル等の履物にも抵抗なく使用することができるようになる。一方、塩化ビニル樹脂を用いることで、接着剤を使用しなくても中敷体１１０どうしをズレ無く張り合わせることができる。また、塩化ビニル樹脂を用いることで、一部の中敷体１１０を剥がすことによる、靴の踵部中敷１００の厚さ調整が容易となる。また、塩化ビニル樹脂を用いることで、靴の踵部中敷１００は、加工が容易となる。
【００２３】
さらに、図４で示すように、踵部中敷１００は、一番上層に、長い中敷体（ｄ）１１８を、下層の中敷体１１０を覆うように被せることによって、中敷体１１２、１１４、１１６を重ねた場合に生じる段差を滑らかにする形態としても良い。こうすることによって、靴１２０を履く人による、踵部中敷１００の装着感が改善する。
（踵部中敷の使用方法）
【００２４】
図１乃至４を用いて、本実施の形態に係る踵部中敷１００の使用方法について説明する。図１で示すように、踵部中敷１００は、靴１２０の踵部分に中敷として設置して使用する。踵部中敷１００を靴１２０に設置した後、靴１２０は、通常の使用方法に従って使用する。また、踵部中敷１００は、作製が容易であることから多数複製することが可能であるため、一組の靴１２０だけでなく、室内履き（例えば、スリッパ）など他の履物にも設置することも可能である。こうすることで患者は、長い時間、これらの履物を装着することができるため、脚長差の調整を長時間行うことが可能となり、脚長差の調整には効果的である。
【００２５】
また、患者（靴１２０を履く人）の脚長差は、経時的に変化するため、所定の期間毎に、脚長差を計測（評価）し、その計測（評価）時点の脚長差に応じて、踵部中敷１００の高さを調整することが好適である。踵部中敷１００の高さの調整は、個々の中敷体１１０の厚さを変えたり、踵部中敷１００を構成する中敷体１１０の枚数を変えたりすることによって行う。踵部中敷１００は、塩化ビニル樹脂製（軟質塩ビシート）であるため、張り合わせる作業及び剥がす作業が容易であり、かつ、加工も容易である。そのため、上記のような、患者の脚長差の経時的変化に応じて行う、踵部中敷１００の高さの再調整の作業が容易である。
（踵部中敷の厚さの調整）
ここでは、踵部中敷１００の初期作製時及び高さ調整時に行う脚長差の計測（評価）方法について説明する。
（１）脚長差の評価
種々の方法によって脚長差を評価し、短脚、長脚を特定する。
【００２６】
・立位姿勢評価（水平な床の上で行う）では、全体的な傾きなど体の特徴を確認し、特に、腰のくびれ具合、肩甲骨の内転具合、骨盤上縁の高さの左右差、肩甲骨の下角の高さの左右差などに基づき、短脚、長脚を特定する。
【００２７】
・体幹の可動域検査（水平な床の上で行う）では、体幹の側屈の左右差を観察して、短脚、長脚を特定する。他方、体幹の回旋の左右差を観察して、短脚、長脚を特定する。
【００２８】
・仰臥位（仰向け）で骨盤（上前腸骨棘）の位置の左右差を観察して、短脚、長脚を特定する。また、仰臥位で踵の位置の左右差を観察して、短脚、長脚を特定する。
・仰臥位で股関節の屈曲後、上前腸骨棘の位置を確認して、短脚、長脚を特定する。
【００２９】
・腹臥位で脊椎起立筋、肩関節周囲筋、骨盤周囲筋などの筋緊張（コリ）の有無を確認した後、股関節の伸展で筋緊張の変化を確認することによって、短脚、長脚を特定する。
（２）脚長差調整の準備
【００３０】
上記（１）で評価した脚長差に合わせた整体を行って、骨盤をはじめ全身の可動性を出し、脚長差調整の準備を行う。なお、整体を行うことによって姿勢が整い、関節の可動性が改善され、筋緊張が改善された状態となる。
（３）脚長差の再評価
【００３１】
上記（２）の整体を行った後、患者を５メートルほど歩行させ、再度、上記（１）の脚長差の評価を行う。なお、脚長差が原因で体に歪みがあると５メートル歩行しただけで上記（２）の整体する前の状態に戻ってしまう。
（４）踵部中敷１００の作製
【００３２】
患者が履く靴１２０の踵部分に、適当な厚さの踵部中敷１００を設置した後、患者を歩行させ、上記（１）の脚長差の評価を行いながら、踵部中敷１００の厚さを適宜変化させる。そして、脚長差が逆転するポイント（短脚（長脚）が長脚（短脚）となるポイント）を探し当てる。例えば、最終的に、踵部中敷１００の厚さを０．２ミリメートル変化させると、脚長差が逆転するポイントでこの調整を終了し、踵部中敷１００の適切な厚さを決定する。
（５）脚長差の経時的変化に伴う調整
【００３３】
踵部中敷１００を設置した靴１２０を履く患者の脚長差は、経時的に変化する。従って、所定の期間毎に上記（４）の作業を行い、当該作業時点における最適な厚さの踵部中敷１００を作製する。このように、踵部中敷１００の厚さを定期的に修正することによって、患者の脚長差をゼロに近づかせることができ、それに伴って、患者の脚長差に基づく体の不具合を改善させることができる。
（総括）
【００３４】
・中敷体１１０が塩化ビニル樹脂を材料とするフィルム状（シート状）であるため、踵部中敷１００は、履物１２０の踵部分の形状に合わせ、容易かつ自在に加工することができる。踵部だけの調整なので、指先に負担が掛からない。
【００３５】
・中敷体１１０が塩化ビニル樹脂を材料とするフィルム状（シート状）であるため、中敷体１１０どうしを貼り合わせたり剥がしたりすることが容易に行うことができる。そのため、踵部中敷１００は、その厚さ調節を容易かつ自在に行うことができる。
【００３６】
・中敷体１１０が塩化ビニル樹脂を材料とするフィルム状（シート状）であるため、踵部中敷１００は、適度な硬さがあり、潰れ難く、形状を安定的に保持することができる。
【００３７】
・中敷体１１０が塩化ビニル樹脂を材料とするフィルム状（シート状）であり、重ねた中敷体１１０どうしを接着剤無しで張り合わせることができるため、踵部中敷１００は、中敷体１１０を貼り合わせたり剥がしたりする作業が容易である。
【００３８】
・中敷体１１０が透明な塩化ビニル樹脂を材料とするため、踵部中敷１００は、履物１２０に装着しても目立ち難く、サンダル等の踵部分が露出している履物にも抵抗無く設置し使用することができる。
・踵部中敷１００は、２センチメートル以下の極小さな脚長差を補正することによって、脚長差に基づく体の不具合を改善させることができる。
【００３９】
・踵部中敷１００は、評価される脚長差が０．１ミリメートル以下となるまで、所定期間毎にその厚さが調整される。こうすることによって、脚長差に基づく体の不具合を改善させることができる。
【００４０】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４１】
１００  踵部中敷
１１０  中敷体
１１２  中敷体（ａ）
１１４  中敷体（ｂ）
１１６  中敷体（ｃ）
１１８  中敷体（ｄ）
１２０  履物（例えば、靴、サンダル）
【図１】
2013063196.tif 000003
【図２】
2013063196.tif 000004
【図３】
2013063196.tif 000005
【図４】
2013063196.tif 000006